(57)【要約】【課題】複数のファイルとして記録されているデジタルコンテンツのスライドショウ作品を作成する際に、ユーザがその再生順序を簡単に指定して、簡単に再生順序プログラムを作成する。【解決手段】静止画蓄積部１０に蓄積された各月の静止画ファイルのうち何れを選択するかの選択処理に入る。そこで、まず静止画蓄積部１０に蓄積された各静止画ファイルそれぞれには、予めその静止画が記録された日付データが記録されているので、この日付データに基づいてグループ化した各月ごとの静止画データと、統計データ処理部１７に記録されている再生回数データとに基づいて、各月毎の静止画データで再生回数の多い上位より、ステップＳ３３で求めて使用可能データ数に対応するデータを抽出する。【選択図】      図１
2004350186.tif 000002
【特許請求の範囲】
【請求項１】
複数コンテンツを所定時間間隔で順次再生するスライドショウ作品を作成するオーサリング装置において、
前記複数のデジタルコンテンツ、及び複数のコンテンツそれぞれの再生回数データを記録した記録装置と、
スライドショウ作品の作成を指示する指示手段と、
前記指示手段により、スライドショウ作品の作成が指示された場合、前記記録装置に記録された再生回数データを参照し、再生回数の多いデジタルコンテンツを抽出してスライドショウ作品を作成する作成手段と、
を具備したことを特徴とすいるオーサリング装置。
【請求項２】
前記複数のデジタルコンテンツには、日付データが付与されており、前記指示手段によりスライドショウ作品の作成が指示された場合、前記作成手段は、日付データで前記複数のデジタルコンテンツをグループ化し、グループ化されたデジタルコンテンツから再生回数の多いデジタルコンテンツを抽出してスライドショウ作品を作成することを特徴とする請求項１記載のオーサリング装置。
【請求項３】
複数コンテンツを所定時間間隔で順次再生するスライドショウ作品を作成するオーサリング方法において、
スライドショウ作品の作成を指示し、
スライドショウ作品の作成が指示された場合、記録装置に記録された前記複数のデジタルコンテンツそれぞれの再生回数データを参照し、再生回数の多いデジタルコンテンツを抽出してスライドショウ作品を作成することを特徴とするオーサリング方法。
【請求項４】
前記複数のデジタルコンテンツには、日付データが付与されており、前記指示手段によりスライドショウ作品の作成が指示された場合、前記日付データで前記複数のデジタルコンテンツをグループ化し、グループ化されたデジタルコンテンツから再生回数の多いデジタルコンテンツを抽出してスライドショウ作品を作成することを特徴とする請求項３記載のオーサリング方法。
【発明の詳細な説明】
【０００１】
【発明の属する技術分野】
本発明は、複数のファイルとして記録されているコンテンツを特定の再生順序で再生するためのプログラムを作成する再生画像制御装置に関し、特に特定の条件に従って自動的にこの再生順序プログラムを生成する再生プログラム生成方法に関する。
【０００２】
【従来の技術】
デジタルカメラなどで撮影した静止画像などは、それぞれ１つのファイルとしてハードディスク装置などに格納され、各ファイルを再生表示する際は、ユーザがそれぞれのファイルを選択することにより再生することなるが、従来より、ファイルをひとつひとつ選択しないで、順番に各ファイルを逐次再生していく機能が実現されている。このような機能はスライドショウと称するもので、このスライドショウ機能を用いれば、ユーザはいちいち再生するファイルを選択することなく、順次再生表示させることができる。
【０００３】
そして、スライドショウを実行した場合は、特定のフォルダに格納されたファイルを順次再生していくか、ユーザが予め決定した再生順序に従って、順次画像を再生していくものがある。
【０００４】
【特許文献１】
特開２００１−１０３４１５号公報  （図１）
【０００５】
【発明が解決しようとする課題】
このように、従来では、スライドショウ機能を用いて、画像を順次再生するとき、特定の再生順序で再生させるためには、ユーザが再生するファイルの順序を予め決定しておく必要があり、その操作が非常に煩雑となる。
【０００６】
つまり、画像ファイルが大量に記録されているなかから、ユーザが任意の画像を選択し、その再生順序をひとつひとつ決定していくことは非常に煩雑な作業となってしまう。
【０００７】
また、近年は、静止画像ファイルの他に、動画像ファイルや音声ファイルなどのデジタルコンテンツも存在し、これら各種のデジタルコンテンツについてのスライドショウ機能を実現するためには非常に煩雑な作業を実行する必要があった。
【０００８】
そこで、本発明は、複数のファイルとして記録されているデジタルコンテンツの自動再生する際に、ユーザがその再生順序を簡単に指定して、簡単に再生順序プログラムを作成することができる再生画像制御装置を提供することを目的とするものである。
【０００９】
【課題を解決するための手段】
本発明は、上述した課題を解決するため、複数コンテンツを所定時間間隔で順次再生するスライドショウ作品を作成するオーサリング装置において、前記複数のデジタルコンテンツ、及び複数のコンテンツそれぞれの再生回数データを記録した記録装置と、スライドショウ作品の作成を指示する指示手段と、前記指示手段により、スライドショウ作品の作成が指示された場合、前記記録装置に記録された再生回数データを参照し、再生回数の多いデジタルコンテンツを抽出してスライドショウ作品を作成する作成手段とを具備したものである。
【００１０】
また本発明は上述した課題を解決するため、前記複数のデジタルコンテンツには、日付データが付与されており、前記指示手段によりスライドショウ作品の作成が指示された場合、前記作成手段は、日付データで前記複数のデジタルコンテンツをグループ化し、グループ化されたデジタルコンテンツから再生回数の多いデジタルコンテンツを抽出してスライドショウ作品を作成するものである。
【００１１】
また本発明は上述した課題を解決するため、複数コンテンツを所定時間間隔で順次再生するスライドショウ作品を作成するオーサリング方法において、スライドショウ作品の作成を指示し、スライドショウ作品の作成が指示された場合、記録装置に記録された前記複数のデジタルコンテンツそれぞれの再生回数データを参照し、再生回数の多いデジタルコンテンツを抽出してスライドショウ作品を作成することを特徴とするものである。
【００１２】
また本発明は上述した課題を解決するため前記複数のデジタルコンテンツには、日付データが付与されており、前記指示手段によりスライドショウ作品の作成が指示された場合、前記日付データで前記複数のデジタルコンテンツをグループ化し、グループ化されたデジタルコンテンツから再生回数の多いデジタルコンテンツを抽出してスライドショウ作品を作成するものである。
【００１３】
【発明の実施の形態】
以下、図面を用いて、本発明の実施形態を説明する。
図１は、本発明の一実施形態を示す、スライドショウ作品を作成するためのオーサリング装置の機能ブロック図である。
本実施形態のオーサリング装置１は、各種デジタルコンテンツを格納しており、静止画蓄積部１０は、デジタルスチルカメラなどで撮影した静止画ファイルをたとえばＪＰＥＧ方式などで圧縮された形で記録している。動画蓄積部１１は、インターネット経由で取得した動画ファイルを例えば、ＭＰＥＧ２方式などで圧縮した形で蓄積している。音声蓄積部１２は、音楽コンテンツなどの音声ファイルを例えばＭＰ３方式などで圧縮した形で記録している。そして、撮影映像蓄積部１３は、デジタルビデオカメラなどで撮影された映像データを例えばＭＰＥＧ４形式などで圧縮した形で記録しているものである。これらの蓄積部は、通常ハードディスク（図２のＨＤＤ２９）などの１つの記録装置にまとめて記録されている。たた、ＤＶＤドライブ、メモリカード、等様々な記録媒体に分割して記録されていてもよい。
【００１４】
そして、各蓄積部で蓄積されたファイルを再生表示する再生表示部として、それぞれ静止画表示部１４、動画表示部１５を有し、圧縮された各ファイルをデコードする画像デコード部と、デコードされたファイルを表示する表示ディスプレイが相当する。音声再生部１６は、音声蓄積部１２に蓄積された音声ファイルをデコードする音声デコード部と、デコードされた音声を出力するスピーカが相当する。
【００１５】
統計データ処理部１７は、静止画表示部１４、動画表示部１５、音声再生部１６で再生された各コンテンツの再生回数を取得して、統計データとして管理する処理部である。
【００１６】
オーサリング部１８は、スライドショウプログラムを作成する作成部であり、ユーザの条件指定に従って、統計データ処理部１７に記録された統計データを参照し、自動的に再生するコンテンツの順序を決めたスライドショウプログラムを作成する。
【００１７】
次に、図１で説明した機能ブロック図を実際に実行するハードウェア構成を図２に示す。
ＣＰＵ２１は、オーサリング装置１全体の動作制御を実行するもので、ユーザからの指示に基づいて各種コマンドを実行する。メモリ２２は、ＣＰＵ２１の動作実行のためのデータをロードするワーキングメモリである。グラフィックスカード２３は、静止画データや動画データ等の圧縮処理やデコード処理を実行する。キャプチャカード２４は、静止画データや動画データを、デジタルカメラ２５などから取得する取得部である。デジタルカメラ２５は、撮影した静止画や、動画をオーサリング装置１へ、入力する外部装置であり、ＵＳＢインタフェース等のケーブルにより接続される。サウンドカード２６は、外部から入力された音声データを圧縮符号化して音声蓄積部１２に格納したり音声蓄積部１２から読み出した音声データをデコードして再生処理する機能を有する。ディスプレイ２７は、再生した動画データを表示したりスライドショウデータを作成する際の作成画面を表示する。
【００１８】
次に、本発明の動作を図３乃至図６を用いて説明する。
本実施形態のオーサリング装置１でスライドショウ機能を実現しようとするとき、図３に示すように、まずユーザは、作品内で使用したいコンテンツを選択して、抽出条件の指定を行う（ステップＳ３１）。例えば、一連のスライドショウ作品を作成しようとした場合、ユーザはデータの種別（静止画、動画、音声）を選択し、さらに期間（例えば、４月〜１２月）、作品の長さ（５分で完了などの時間情報）を指定する。
【００１９】
すると、オーサリング部１８は、ユーザの指定情報により、その種別に応じたスライドショウデータの作品生成処理を実行する。その一例として静止画を選択したときの動作を具体例として説明する。
【００２０】
ユーザにより、スライドショウ作品のデータとして静止画が選択された場合（ステップＳ３２のＹ）、まず指定された作品の長さ（時間情報）を、指定された期間で割って、各月毎に使える時間を算出する。その後、各データの表示時間を決定し、何個の静止画データを使用可能か計算する（ステップＳ３３）。
【００２１】
例えば、
作品の長さ…２０分
期間…１月〜１０月（１０ヶ月）
であるとすると、各月毎に使える時間は、２０／１０＝２分（１２０秒）となり、
各データ表示時間を１０秒とした場合、
各月毎に使えるデータの数は、１２０／１０＝１２個（１２個の静止画ファイル）
ということになる。
次に、静止画蓄積部１０に蓄積された各月の静止画ファイルのうち何れを選択するかの選択処理に入る。そこで、まず静止画蓄積部１０に蓄積された各静止画ファイルそれぞれには、予めその静止画が記録された日付データが記録されているので、この日付データに基づいてグループ化した各月ごとの静止画データと、統計データ処理部１７に記録されている再生回数データとに基づいて、各月毎の静止画データで再生回数の多い上位より、ステップＳ３３で求めて使用可能データ数に対応するデータを抽出する。上記の例では１２個の静止画ファイルを各月毎に、再生回数の多い静止画データを抽出する。
【００２２】
そして、抽出された静止画データは、図４に示すようなスライドショウ作品として作成される（ステップＳ３５）。即ち、スライドショウ作品は、任意のタイトル名、作品の長さ、静止画データ数、表示する順番に並べられた各ファイル名がリスト化されたデータである。
【００２３】
同様に、静止画以外の動画や音声のスライドショウ作品の作成をする場合にも上述した静止画作品の作成動作と同様の作成方法で処理される（ステップＳ３６）。
このように、静止画データに記録された日付データと、統計データ処理部に記録された統計データに基づいてスライドショウ作品を作成することによりユーザはひとつひとつ静止画を選択することなしに自動的にスライドショウ作品を作成できるものである。
【００２４】
次に、統計データ処理部に記録された統計データの内容について説明する。
統計データ処理部に記録された統計データは、例えば静止画データでは、図５に示すように、静止画毎の再生回数がリスト化されて記録されている。このリストはそれぞれの静止画像が再生表示される毎に、再生回数が１回ずつ増加してカウントされる。
【００２５】
具体的なカウント方法について図６のフローチャートに示す。
つまり、再生しようと選択された静止画を表示（ステップＳ６１）したあと、その静止画が、初めて表示された静止画であるか、既に何度か表示された静止画であるかを判定する。そして、初めて表示された静止画である場合（ステップＳ６２のＹ）には、静止画統計データリストに、この静止画データを表示回数１回として追加する（ステップＳ６３）。一方既に何度か表示された静止画である場合（ステップＳ６２のＮ）には統計データリストに登録されているので、登録されている再生回数を１増加させるようにして、統計データリストを随時更新していく（ステップＳ６４）。
【００２６】
本実施形態はこの統計データリストを用いて、上述したように自動的にスライドショウ作品を作成するものである。
以上説明したように本実施形態では、デジタルコンテンツのスライドショウ作品を作成するときに、いままで再生したコンテンツの再生回数に基づいて、自動的にコンテンツを選択するので、ユーザは煩雑な作業をすることなくスライドショウ作品を作成することができる。
【００２７】
【発明の効果】
本発明によれば、複数のファイルとして記録されているデジタルコンテンツの自動再生する際に、ユーザがその再生順序を簡単に指定して、簡単に再生順序プログラムを作成することができる。
【図面の簡単な説明】
【図１】本発明の一実施形態におけるオーサリング装置を示すブロック図である。
【図２】同実施形態におけるシステム構成を示すブロック図である。
【図３】同実施形態におけスライドショウ作品の作成動作を示すフローチャートである。
【図４】同実施形態におけるスライドショウ作品のデータ構成を示す図である。
【図５】同実施形態における統計データのデータ構成を示す図である。
【図６】同実施形態における、統計データ処理部に記録される統計データの登録動作を示すフローチャートである。
【符号の説明】
１…オーサリング装置、１０…静止画蓄積部、１１…動画蓄積部、１２…音声蓄積部、１３…撮影映像蓄積部、１４…静止画表示部、１５…動画表示部、１６…音声再生部、１７…統計データ処理部、１８…オーサリング部。
【図１】
2004350186.tif 000003
【図２】
2004350186.tif 000004
【図３】
2004350186.tif 000005
【図４】
2004350186.tif 000006
【図５】
2004350186.tif 000007
【図６】
2004350186.tif 000008